(57)【特許請求の範囲】
【請求項１】
集合住宅のエントランスに設置され居住者または訪問者が使用する集合玄関機（１）と、前記居住者の居室に設置される居室親機（４ａ、４ｂ、…）と、前記集合玄関機、前記居室親機間との呼出・通話を制御する制御機（３）と、前記居住者、前記訪問者が使用するエレベータ（６）とを備え、
前記制御機には、集合住宅情報、電車の時刻表、周辺地域のタウン情報等の回覧情報を作成する管理用パソコン（５２）と、前記管理用パソコンで作成した前記回覧情報を保存するサーバ（５３）とが接続され、
前記エレベータには、前記制御機に接続され前記制御機の制御によって前記サーバに保存された前記回覧情報を読出して表示するための表示端末（７）を備え、
前記表示端末には、前記表示端末に接続され人体を検知するセンサ（７７）と、前記回覧情報を表示するＬＣＤ表示部（７１）を駆動させるためのＬＣＤ駆動回路（７２）と、前記回覧情報の送受信をするための通信インターフェース（７６）と、前記ＬＣＤ駆動回路、前記通信インターフェースおよび前記センサを制御し、前記センサが人体を検知したとき、前記通信インターフェースを介して前記制御機へ回覧情報要求信号を送信するとともに、前記回覧情報要求信号により前記サーバから読出された前記回覧情報を前記表示端末で表示させるために前記ＬＣＤ駆動回路を駆動させて前記ＬＣＤ表示部を能動とするＣＰＵ（７５）とを備え、
前記回覧情報要求信号は、前記ＣＰＵの制御により前記センサが人体を検知してから所定時間ごとに送信されるものであって、前記制御機は、複数の回覧情報を記憶した前記サーバから前記回覧情報要求信号に従って順次回覧情報を読出して前記ＬＣＤ表示端末に送信するものであり、
前記ＣＰＵは、前記センサが人体を検知しなくなったとき、前記ＬＣＤ駆動回路および前記通信インターフェースを非能動とするものであることを特徴とするインターホンシステム。
【請求項２】
前記表示端末は、前記回覧情報を切り替えるためのＬＣＤ表示部操作ボタン（７３）と、前記ＬＣＤ表示部操作ボタンの操作を検出し、ＬＣＤ表示部操作信号を送出するＬＣＤ表示部操作信号送出回路（７４）とを備えることにより前記ＬＣＤ表示部操作ボタンの操作で前記ＣＰＵから前記回覧情報要求信号を順次送信するものであることを特徴とする請求項１記載のインターホンシステム。
【請求項３】
ビルに設置されるエレベータ（６）と、前記ビル内での連絡等の通信の管理を行なう制御機（３）とを備え、
前記制御機には、ビル情報、電車の時刻表、周辺地域のタウン情報等の回覧情報を作成する管理用パソコン（５２）と、前記管理用パソコンで作成した前記回覧情報を保存するサーバ（５３）とが接続され、
前記エレベータには、前記制御機に接続され前記制御機の制御によって前記サーバに保存された前記回覧情報を読出して表示するための表示端末（７）を備え、
前記表示端末には、前記表示端末に接続され人体を検知するセンサ（７７）と、前記回覧情報を表示するＬＣＤ表示部（７１）を駆動させるためのＬＣＤ駆動回路（７２）と、前記回覧情報の送受信をするための通信インターフェース（７６）と、前記ＬＣＤ駆動回路、前記通信インターフェースおよび前記センサを制御し、前記センサが人体を検知したとき、前記通信インターフェースを介して前記制御機へ回覧情報要求信号を送信するとともに、前記回覧情報要求信号により前記サーバから読出された前記回覧情報を前記表示端末で表示させるために前記ＬＣＤ駆動回路を駆動させて前記ＬＣＤ表示部を能動とするＣＰＵ（７５）とを備え、
前記回覧情報要求信号は、前記ＣＰＵの制御により前記センサが人体を検知してから所定時間ごとに送信されるものであって、前記制御機は、複数の回覧情報を記憶した前記サーバから前記回覧情報要求信号に従って順次回覧情報を読出して前記ＬＣＤ表示端末に送信するものであり、
前記ＣＰＵは、前記センサが人体を検知しなくなったとき、前記ＬＣＤ駆動回路および前記通信インターフェースを非能動とするものであることを特徴とするインターホンシステム。
【請求項４】
前記表示端末は、前記回覧情報を切り替えるためのＬＣＤ表示部操作ボタン（７３）と、前記ＬＣＤ表示部操作ボタンの操作を検出し、ＬＣＤ表示部操作信号を送出するＬＣＤ表示部操作信号送出回路（７４）とを備えることにより前記ＬＣＤ表示部操作ボタンの操作で前記ＣＰＵから前記回覧情報要求信号を順次送信するものであることを特徴とする請求項３記載のインターホンシステム。
【発明の詳細な説明】
【０００１】
【発明の属する技術分野】
【０００２】
本発明は、インターホンシステムに係り、特に、エレベータに集合住宅情報、電車の時刻表、周辺地域のタウン情報等の回覧情報を表示することができるインターホンシステムに関する。
【従来の技術】
【０００３】
従来から、この種のインターホンシステムとして、特開２００１−２５８０１５公報に開示されるようなものが知られている。
【０００４】
このインターホンシステムは、集合住宅の各住戸に設置されたモニタテレビ付インターホンと、通信回線を介して管理センタに接続された映像蓄積手段とを備えており、かかる管理センタから集合住宅の各住戸に対して電子回覧情報などが送信されるように構成されている。
【０００５】
ところで、集合住宅においては、インターホンシステムとは別にエレベータが設置されており、このエレベータボックス内において、前述の電子回覧情報を取得することができれば便利である。
【発明が解決しようとする課題】
【０００６】
しかしながら、従来のインターホンシステムでは、電子回覧情報がエレベータボックス内に送信されていないことから、エレベータボックス内において回覧情報を閲覧することができないという難点があった。
【０００７】
このため、前述の居室親機をそのままエレベータボックス内に設置することで、エレベータボックス内において回覧情報を閲覧することも案出されるが、かかる居室親機を単にエレベータボックス内に設置する方式は、人の乗り降りが繰り返されるエレベータの制御には適合せず、また、訪問者などの操作方法が分からない人が誤った操作すると、システム全体に膨大な影響を及ぼす虞があるという難点があった。
【０００８】
本発明は、上述の難点を解消するためになされたもので、不特定多数の人が利用する集合住宅やビルのエレベータボックス内において、集合住宅情報、ビル情報、電車の時刻表、周辺地域のタウン情報などの回覧情報を容易に取得することができるインターホンシステムを提供することを目的とする。
【課題を解決するための手段】
【０００９】
上記の目的を達成するため、本発明のインターホンシステムは、集合住宅のエントランスに設置され居住者または訪問者が使用する集合玄関機と、居住者の居室に設置される居室親機と、集合玄関機、居室親機間との呼出・通話を制御する制御機と、居住者、訪問者が使用するエレベータとを備え、制御機には、集合住宅情報、電車の時刻表、周辺地域のタウン情報等の回覧情報を作成する管理用パソコンと、管理用パソコンで作成した回覧情報を保存するサーバとが接続され、エレベータには、制御機に接続され制御機の制御によってサーバに保存された回覧情報を読出して表示するための表示端末を備え、表示端末は、表示端末に接続され人体を検知するセンサと、回覧情報を表示するＬＣＤ表示部を駆動させるためのＬＣＤ駆動回路と、回覧情報の送受信をするための通信インターフェースと、ＬＣＤ駆動回路、通信インターフェースおよびセンサを制御し、センサが人体を検知したとき、通信インターフェースを介して制御機へ回覧情報要求信号を送信するとともに、回覧情報要求信号によりサーバから読出された回覧情報を表示端末で表示させるためにＬＣＤ駆動回路を駆動させてＬＣＤ表示部を能動とするＣＰＵとを備え、回覧情報要求信号は、ＣＰＵの制御によりセンサが人体を検知してから所定時間ごとに送信されるものであって、制御機は、複数の回覧情報を記憶したサーバから回覧情報要求信号に従って順次回覧情報を読出してＬＣＤ表示端末に送信するものであり、ＣＰＵは、センサが人体を検知しなくなったとき、ＬＣＤ駆動回路および通信インターフェースを非能動とするものである。
【００１０】
また、本発明のインターホンシステムにおける表示端末は、回覧情報を切り替えるためのＬＣＤ表示部操作ボタンと、ＬＣＤ表示部操作ボタンの操作を検出し、ＬＣＤ表示部操作信号を送出するＬＣＤ表示部操作信号送出回路とを備えることにより、ＬＣＤ表示部操作ボタンの操作でＣＰＵから回覧情報要求信号を順次送信するもので構成されている。
【００１１】
また、本発明のインターホンシステムは、ビルに設置されるエレベータと、ビル内での連絡等の通信の管理を行なう制御機とを備え、制御機には、ビル情報、電車の時刻表、周辺地域のタウン情報等の回覧情報を作成する管理用パソコンと、管理用パソコンで作成した前記回覧情報を保存するサーバとが接続され、エレベータには、制御機に接続され制御機の制御によってサーバに保存された回覧情報を読出して表示するための表示端末を備え、表示端末には、表示端末に接続され人体を検知するセンサと、回覧情報を表示するＬＣＤ表示部を駆動させるためのＬＣＤ駆動回路と、回覧情報の送受信をするための通信インターフェース７６と、前記ＬＣＤ駆動回路、通信インターフェースおよびセンサを制御し、センサが人体を検知したとき、通信インターフェースを介して制御機へ回覧情報要求信号を送信するとともに、回覧情報要求信号によりサーバから読出された回覧情報を表示端末で表示させるためにＬＣＤ駆動回路を駆動させてＬＣＤ表示部を能動とするＣＰＵとを備え、回覧情報要求信号は、ＣＰＵの制御によりセンサが人体を検知してから所定時間ごとに送信されるものであって、制御機は、複数の回覧情報を記憶したサーバから回覧情報要求信号に従って順次回覧情報を読出してＬＣＤ表示端末に送信するものであり、ＣＰＵは、センサが人体を検知しなくなったとき、ＬＣＤ駆動回路および通信インターフェースを非能動とするものである。
【００１２】
また、本発明のインターホンシステムにおける表示端末は、回覧情報を切り替えるためのＬＣＤ表示部操作ボタンと、ＬＣＤ表示部操作ボタンの操作を検出し、ＬＣＤ表示部操作信号を送出するＬＣＤ表示部操作信号送出回路とを備えることにより、ＬＣＤ表示部操作ボタンの操作でＣＰＵから回覧情報要求信号を順次送信するもので構成されている。
【００１３】
このように構成された本発明のインターホンシステムによれば、不特定多数の人が利用する集合住宅やビルのエレベータボックス内において、集合住宅情報、ビル情報、電車の時刻表、周辺地域のタウン情報などの回覧情報を容易に取得することができる。
【発明の実施の形態】
【００１４】
以下、本発明のインターホンシステムを適用した好ましい実施の形態例について、図面を参照して説明する。
【００１５】
図１は、本発明のインターホンシステムを集合住宅に適用した場合のシステム構成図を示している。同図において、本発明のインターホンシステムは、集合住宅のエントランスに設置され、居住者または訪問者が使用する集合玄関機１と、管理室に設置される管理室親機２と、居住者の居室に設置される複数の居室親機４ａ、４ｂ、…と、集合玄関機、居室親機間との呼出・通話を制御する制御機３と、居住者、訪問者が使用するエレベータ６と、管理センタ５内に設置される管理用パソコン５２およびサーバ５３と、エレベータ内に設置される表示端末７とを備えている。ここで、制御機３は第１の伝送路Ｌ１を介して集合玄関機１に、第２の伝送路Ｌ２を介して管理室親機２に、第３の伝送路Ｌ３を介して各居室親機４ａ、４ｂ、…に、第４の伝送路Ｌ４を介して管理センタ５に、第５の伝送路Ｌ５を介してエレベータ６に接続されている。
【００１６】
集合玄関機１は、玄関機ＬＣＤパネル１１と、玄関機スピーカ１２と、マイク１３とを備えており、管理室親機２は、管理室親機ＬＣＤパネル２１と、管理室親機ハンドセット２２と、管理室親機拡声スピーカ２３とを備えている。また、各居室親機４ａ、４ｂ、…は、それぞれ、居室親機ＬＣＤパネル４１と、居室親機ハンドセット４２と、居室親機拡声スピーカ４３とを備えている。
【００１７】
制御機３は、制御回路３１と、第１〜第４の通信回路３２ａ〜３２ｄとを備えており、制御回路３１は、第１〜第４の通信回路３２ａ〜３２ｄに接続され、第１の通信回路３２ａには第１の伝送路Ｌ１が、第２の通信回路３２ｂには第２の伝送路Ｌ２が、第３の通信回路３２ｃには第３の伝送路Ｌ３が、第４の通信回路３２ｄには第４の伝送路Ｌ４がそれぞれ接続されている。
【００１８】
管理センタ５内の管理用パソコン５２およびサーバ５３は、ＨＵＢ５１に接続され、ＨＵＢ５１には第４の伝送路Ｌ４を介して第４の通信回路３２ｄが接続されている。
【００１９】
エレベータ６は、エレベータ制御盤６１と、重り６３を有する駆動モータ６２と、昇降ボタン６４と、エレベータボックス６５とを備えており、また、エレベータボックス６５は、ＬＣＤ表示部７１と、ＬＣＤ表示部操作ボタン７３を有する表示端末と、センサ７７とを備えている。ここで、エレベータ制御盤６１は、駆動モータ６２および昇降ボタン６４に接続され、駆動モータ６２にはエレベータボックス６５が接続されている。
【００２０】
図２は、表示端末７のブロック図を示している。同図において、表示端末７は、ＬＣＤ表示部７１、ＬＣＤ駆動回路７２、ＬＣＤ表示部操作ボタン７３、ＬＣＤ表示部操作信号送出回路７４、ＣＰＵ７５、通信インターフェース（ＩＦ）７６とを備えている。ここで、ＣＰＵ７５は、ＬＣＤ駆動回路７２、ＬＣＤ表示部操作信号送出回路７４、通信インターフェース７６およびセンサ７７に接続され、ＬＣＤ駆動回路７２には通信インターフェース７６およびＬＣＤ表示部７１が接続され、ＬＣＤ表示部操作信号送出回路７４にはＬＣＤ表示部操作ボタン７３が接続され、通信インターフェース７６には第５の伝送路Ｌ５を介して制御回路３１が接続されている。
【００２１】
次に、このように構成されたインターホンシステムの動作について説明する。なお、訪問者が集合玄関機１の呼出ボタン（不図示）を押下することにより、集合玄関機１の有する通話機能と居室親機４ａ、４ｂ、…の有する通話機能との間に第１の伝送路Ｌ１、制御機３および第３の伝送路Ｌ３を介して通話路が形成される点は、従来のインターホンシステムと同様であることから詳細な説明を省略する。
【００２２】
先ず、管理用パソコン５２で、集合住宅情報、電車の時刻表、周辺地域のタウン情報等の回覧情報が作成され、この回覧情報がＨＵＢ５１を介してサーバ５３へ送られ、このサーバ５３に回覧情報が保存されている。このような状態において、居住者または訪問者が集合住宅のエレベータを使用する際に、昇降ボタン６４を押下してエレベータボックス６５を呼び出し、エレベータボックス６５内に入ると、センサ７７により人体が検知され、センサ７７からＣＰＵ７５に人感センサ検知信号が送信される。そして、かかる人感センサ検知信号がＣＰＵ７５で検出されると、ＬＣＤ駆動回路７２が制御され、ＬＣＤ表示部７１が能動とされる。また、これとともに、ＣＰＵ７５から回覧情報要求信号が出力され、この回覧情報要求信号が通信インターフェース７６、第５の伝送路Ｌ５、制御回路３１、第４の通信回路３２ｄ、第４の伝送路Ｌ４およびＨＵＢ５１を介してサーバ５３へ送出される。そうすると、サーバ５３から回覧情報が取出され、この回覧情報がＨＵＢ５１、第４の伝送路Ｌ４、第４の通信回路３２ｄ、制御回路３１、第５の伝送路Ｌ５、通信インターフェース７６およびＬＣＤ駆動回路７２を介してＬＣＤ表示部７１へ伝送される。
【００２３】
これにより、ＬＣＤ表示部７１に集合住宅情報、電車の時刻表、周辺地域のタウン情報等の回覧情報が表示され、ひいては、エレベータボックス６５内の居住者または訪問者は回覧情報を閲覧することができる。
【００２４】
次に、サーバ５３に複数の回覧情報が保管されている場合においては、ＣＰＵ７５の制御により、サーバ５３に対して所定時間（例えば５〜１５秒程度）ごとに回覧情報要求信号を送信し、サーバ５３から順次回覧情報を取り出して、ＬＣＤ表示部７１に順次回覧情報を表示させるようにしてもよい。
【００２５】
ここで、回覧情報要求信号は、表示端末７のＣＰＵ７５によって所定時間ごとに自動送信するようにしてもよいが、エレベータボックス６５内の居住者または訪問者がＬＣＤ表示部操作ボタン７３を押下して、ＬＣＤ表示部操作信号送出回路７４から表示部操作信号をＣＰＵ７５へ送出し、ＣＰＵ７５から、前述と同様にして、サーバ５３に対して回覧情報要求信号を送出し、サーバ５３からＬＣＤ表示部７１に対して回覧情報を伝送するようにしてもよい。この実施例においては、手動で回覧情報を閲覧することができる。
【００２６】
一方、センサ７７が人体を検知しなくなると、ＣＰＵ７５の制御により、ＬＣＤ駆動回路７２および前記通信インターフェース７６が非能動状態にされる。
【００２７】
なお、以上の実施例においては、本発明のインターホンシステムを集合住宅に適用した場合について説明しているが、テナントビル、ホテル、病院ビルなどのビル用のインターホンシステムに適用してもよい。
【発明の効果】
【００２８】
以上の説明から明らかなように、本発明のインターホンシステムによれば、不特定多数の人が利用する集合住宅やビルのエレベータボックス内において、集合住宅情報、ビル情報、電車の時刻表、周辺地域のタウン情報などの回覧情報を容易に取得することができる。
【図面の簡単な説明】
【図１】  本発明によるインターホンシステムの一実施例を示すブロック図。
【図２】  本発明によるインターホンシステムの表示端末におけるブロック図。
【符号の説明】
１・・・集合玄関機
２・・・管理室親機
３・・・制御機
４ａ、４ｂ、…・・・居室親機
５・・・管理センタ
６・・・エレベータ
７・・・表示端末
３１・・・制御回路
３２ａ、３２ｂ、３２ｃ、３２ｄ・・・通信回路
５１・・・ＨＵＢ
５２・・・管理用パソコン
５３・・・サーバ
６５・・・エレベータボックス
７１・・・ＬＣＤ表示部
７２・・・ＬＣＤ駆動回路
７３・・・ＬＣＤ表示部操作ボタン
７４・・・ＬＣＤ表示部操作信号送出回路
７５・・・ＣＰＵ
７６・・・通信インターフェース（ＩＦ）
７７・・・センサ
【図１】
0003863450.tif 000002
【図２】
0003863450.tif 000003